(57)【要約】【課題】  可搬性を向上させつつ、撮影動作を妨げることのない撮像装置を提供する。【解決手段】  撮像装置は、レンズと、所定の指示を受け付けるための所定の操作部材と、開口を形成し、少なくとも一部が開閉部材である枠部とを有し、前記所定の操作部材と前記枠部の開閉部材とは、前記所定の操作部材の操作方向において投影上重ならないよう配され、前記枠部は、前記撮像装置の筐体の外装の一部を形成することを特徴とする。【選択図】  図１
2019219485.tif 000002
【特許請求の範囲】
【請求項１】
撮像装置であって、
レンズと、
所定の指示を受け付けるための所定の操作部材と、
開口を形成し、少なくとも一部が開閉部材である枠部とを有し、
前記所定の操作部材と前記枠部の開閉部材とは、前記所定の操作部材の操作方向において投影上重ならないよう配され、
前記枠部は、前記撮像装置の筐体の外装の一部を形成することを特徴とする撮像装置。
【請求項２】
前記枠部の開閉部は、回動可能に軸支された揺動体であることを特徴とする請求項１に記載の撮像装置。
【請求項３】
前記枠部は、カラビナ部を構成することを特徴とする請求項１または２に記載の撮像装置。
【請求項４】
前記所定の操作部材の操作方向に平行な第１の軸と前記レンズの光軸に平行な第２の軸とに直交する第３の軸において、前記レンズは、前記枠部と前記所定の操作部材との間に配されていることを特徴とする請求項１乃至３のいずれか１項に記載の撮像装置。
【請求項５】
前記撮像装置の把持に用いる指置き部をさらに有し、
前記指置き部は、被写体側と反対側の面に配されていることを特徴とする請求項４に記載の撮像装置。
【請求項６】
前記第３の軸において、前記レンズは、前記枠部と前記指置き部との間に配されていることを特徴とする請求項５に記載の撮像装置。
【請求項７】
前記所定の操作部材と前記指置き部とは、異なる面に配されていることを特徴とする請求項６に記載の撮像装置。
【請求項８】
前記所定の操作部材は、撮影指示を受け付けるための操作部材であることを特徴とする請求項１乃至７のいずれか１項に記載の撮像装置。
【請求項９】
前記所定の操作部材は、押圧式の釦であることを特徴とする請求項１乃至８のいずれか１項に記載の撮像装置。
【請求項１０】
前記被写体側と反対側の面に配された前記所定の操作部材とは異なる第２の操作部材をさらに有し、
前記第２の操作部材は、前記第３の軸において、前記枠部と前記指置き部の間に配されていることを特徴とする請求項５乃至７のいずれか１項に記載の撮像装置。
【発明の詳細な説明】
【技術分野】
【０００１】
本発明は、デジタルカメラ等の撮像装置の構成に関するものである。
【背景技術】
【０００２】
従来デジタルカメラ等の撮像機器において、装置本体にカラビナを備えることで、デジタルカメラを容易に身に付けることを可能とし、可搬性を向上させるものがある。
【先行技術文献】
【特許文献】
【０００３】
【特許文献１】特開２００９−１４７４４３号公報
【発明の概要】
【発明が解決しようとする課題】
【０００４】
しかしながら、上述の特許文献に開示された従来技術では、カラビナ部分はコードリールに巻き取り可能な可撓性を有するコード部材に、デジタルカメラの筐体とは別の部材として接続されている。そのため、コードリールから引き出していない状態でデジタルカメラを把持した際には、カラビナを手で覆うような状態となり、把持をしにくくなる。
【課題を解決するための手段】
【０００５】
本発明に係る撮像装置は、レンズと、所定の指示を受け付けるための所定の操作部材と、開口を形成し、少なくとも一部が開閉部材である枠部とを有し、前記所定の操作部材と前記枠部の開閉部材とは、前記所定の操作部材の操作方向において投影上重ならないよう配され、前記枠部は、前記撮像装置の筐体の外装の一部を形成することを特徴とする。
【発明の効果】
【０００６】
本発明によれば、可搬性を向上させつつ、撮影動作を妨げることのない構成を有する撮像装置を提供することが可能となる。
【図面の簡単な説明】
【０００７】
【図１】第１の実施形態におけるデジタルカメラの外観斜視図である。
【図２】第１の実施形態におけるカラビナ部の開閉状態を示す図である。
【図３】第１の実施形態における着せ替えパネルの着脱状態を示す図である。
【図４】第２の実施形態におけるカラビナ部の開閉状態を示す図である。
【図５】デジタルカメラを縦にした状態で、取り付けフックにカラビナ部を係止させた状態を示す図である。
【図６】デジタルカメラの使用例を示す図である。
【図７】デジタルカメラにおけるカラビナ部を示す図である。
【発明を実施するための形態】
【０００８】
以下、本発明の実施の形態を添付の図面に基づいて詳細に説明する。
【０００９】
＜第１の実施形態＞
以下、図１から図３を参照して、本発明の第１の実施形態について説明する。
【００１０】
図１（ａ）は、本発明の第１の実施形態における撮像装置の一例であるデジタルカメラ１を正面側（被写体側）から見た外観斜視図である。図１（ｂ）は、被写体側とは反対の背面側から見た外観斜視図である。
【００１１】
図１に示すデジタルカメラ１は、ボディー筐体となる前部カバー１ａ、後部カバー１ｂ、レンズ部２を有する。さらにデジタルカメラ１はカラビナ構造を有し、本実施形態では図７（ａ）（ｂ）において斜線を付した部分をカラビナ部３と呼ぶ。このカラビナ部３については後で詳述する。着せ替えパネル４はデジタルカメラ１に着脱可能なパネルであり、こちらも詳細は後述する。マイク穴５は、外部からの音声を取り込むためのものであり、特に動画撮影時に用いる。上面部には押圧式のレリーズ釦６が設けられており、撮影者はレリーズ釦６を押し込む操作を行うことにより、撮影指示を入力することが可能である。
【００１２】
後部カバー１ｂ側には、モード切替ダイヤル７、背面グリップ部８、スピーカー穴９、ＬＥＤ窓１０、リセット釦１１、カメラ底面部には、三脚穴１２が設けられている。モード切替ダイヤル７は、動画や静止画などの撮影モードの切り替えや、電源ＯＦＦ等の操作を行うための操作部材である。背面グリップ部８は撮影時に右手指を置きグリップ性を高めるための指置きとして用いられる部材であり、表面に凹凸を有する。なお、ねじ１３は、前部カバー１ａと後部カバー１ｂを固定する締結部材であり、締結された前部カバー１ａと後部カバー１ｂが、本実施形態におけるデジタルカメラ１の外装となる。
【００１３】
次に、カラビナ部３の構成について説明する。図２（ａ）は、カラビナ部３の閉状態を示す図であり、図２（ｂ）は、カラビナ部３の開状態を示す図である。
【００１４】
カラビナ部３は、固定体３ａと揺動体３ｂで枠体形状が構成され、３ｄは空洞となっており、開口を形成している。揺動体３ｂは回動軸３ｃで軸支され回動軸３ｃを中心に回動可能であり、所定の角度まで回動することで開状態となることができる。また、回動軸３ｃは、ねじ１３を兼ねており前部カバー１ａと後部カバー１ｂを固定する締結部材でもある。
【００１５】
揺動体３ｂはカラビナ部３の開閉のための開閉部材であり、常に矢印Ａの方向すなわち閉状態となる向きの付勢力を不図示のバネ部材から受け、揺動体３ｂは固定体３ａに当接することで位置が規制されている。揺動体３ｂを閉状態から開状態にするには、前述のバネ部材から受ける付勢力よりも大きな力で揺動体３ｂを押し上げればよい。
【００１６】
上述したような開状態と閉状態を有することにより、本実施形態のカラビナ部３はカラビナとしての機能を有する。なお、便宜上カラビナ部３を独立した部位のように説明しているが、本実施形態ではカラビナ部３の固定体３ａはデジタルカメラ１の前部カバー１ａと後部カバー１ｂの一部であり、カラビナ部３はデジタルカメラ１の外装の一部をなしているといえる。つまり、デジタルカメラ１そのものがカラビナとしての構造を有するともいえる。もちろん、カラビナ部３とデジタルカメラ１は必ずしも一体形成されている必要はなく、例えば図７の斜線で示したカラビナ部が別部材として用意され、デジタルカメラの筐体とねじなどで結合した形態であってもよい。
【００１７】
なお、本実施形態において、枠体形状のカラビナ部３は、撮影方向に貫通した素通しのファインダとしても機能する。図６（ａ）に示すように、このデジタルカメラ１で撮影を行う際には、撮影者は被写体に向かってデジタルカメラ１を構え、ファインダ枠すなわちカラビナ部３を通じて被写体を覗いて撮影範囲を確認する。カラビナ部３の空洞３ｄは、ファインダ枠として覗いた時に構図の水平・垂直を出し易くする為に矩形（長方形の角を丸めた形状を含む）の形状としている。
【００１８】
次に、カラビナ部３と他の部材との関係について説明する。カラビナ部３と他の部材との関係は、撮影時の操作性に大きく影響する。以下、具体的に説明する。
【００１９】
まず、図１（ａ）に示すように、撮影レンズ２とファインダは、可能な限り近づけて配置することが望ましい。このような配置構成とすることで、近距離撮影における撮影レンズ２とファインダとの視差を低減させることができる。また、撮影レンズ２とレリーズ釦は、可能な限り遠ざけて配置することが望ましい。このような配置にすることで、デジタルカメラ１を把持した際に、撮影者の指が撮影レンズ２に被ってしまうことを効果的に抑制することができる。
【００２０】
また、レリーズ釦６の操作方向すなわち押し下げ方向に、カラビナ部３の少なくとも一部とレリーズ釦６は投影上重ならないように配置している。この構成について図６（ｂ）を用いて説明する。本実施形態におけるデジタルカメラ１は、図６（ｂ）に示すように撮影者が右手のみを用いて撮影を行うことを想定している。仮にカラビナ部３の揺動体３ｂがレリーズ釦６と投影上重なる位置にある場合、レリーズ釦６の押し下げ時に、カメラを把持した右手指が揺動体３ｂに触れてしまうことで、揺動体３ｂが意図せず回動してしまう可能性がある。本実施形態のデジタルカメラ１は、カラビナ部３とレリーズ釦６が投影上重ならないよう配置し、ブレ画像や構図の傾き等の失敗画像の発生を少なくすることを可能としている。
【００２１】
より具体的には、本実施形態のデジタルカメラ１は、図１（ａ）と（ｂ）に示すように、撮影者（以下、被写体側と反対側から横位置で撮影する場合を想定して説明する）から見て左手側からカラビナ部３、レンズ部２、背面グリップ部８の配置とし、レリーズ釦６は背面グリップ部８の上側に配置している。このような配置とすることで、カラビナ部３とレリーズ釦６の距離を確保している。これにより、図６（ｂ）に示すようにデジタルカメラ１を右手で把持して撮影操作をする際に、カラビナ部３の揺動体３ｂに撮影者の右手指が触れにくくなる。また、背面グリップ部８とレリーズ釦６を近接して配置しているため、レリーズ釦６の操作の際に、掌で覆うようにデジタルカメラ１を保持することができ、安定してレリーズ釦６を押し込むことが可能となる。また、カラビナ部３を撮影者の左手側に設けることで、右手の掌で覆うデジタルカメラ１を保持した場合であっても、カラビナ部３のファインダとしての視認性を損なうことがない。操作性の観点から、カラビナ部３はデジタルカメラ１の背面の左半分の領域のいずれかに全体が収まるよう配置され、背面グリップ部８はデジタルカメラ１の背面の右半分の領域のいずれかに全体が収まるよう配置されることが望ましい。
【００２２】
また、図１（ｂ）に示すように、本実施形態のデジタルカメラ１は、モード切り替えダイヤル７を、カラビナ部３と背面グリップ部８との間に配置している。モード切り替えダイヤル７は、回転ダイヤルとなっており、指掛り部７ａに指を掛けて回転操作をおこなうことで、動画や静止画などの撮影モードの切り替えや、電源ＯＦＦ等の操作を簡単に素早く切り替えることができる。この指掛かり部７ａは、カラビナ部３よりも背面グリップ部８に近づけるように配置しているため、撮影者が右手でデジタルカメラ１を把持したまま指掛かり部７ａに指を掛けることが容易となる。さらに、背面グリップ部８とレリーズ釦６も近接して配置しているので、デジタルカメラ１を右手で把持して撮像操作をする際に、レリーズ釦６に人差し指を掛けた状態でも、親指をモード切り替えダイヤル７の指掛かり部７ａに掛けることができる。これにより、ワンハンドオペレーションで素早く撮像操作やモード切替操作をすることが可能となる。
【００２３】
なお、本実施形態のデジタルカメラ１は撮影者が右手のみを用いて撮影を行うことを前提に説明してきたが、もちろん左手のみを用いて撮影することを想定してもよい。この場合は、図２（ａ）、図２（ｂ）の構成を鏡像反転させた構成とすればよい。
【００２４】
なお、カラビナ部３の空洞３ｄとしての大きさは、撮影者のズボンのベルト通しや、リュックサック等のベルト部への固定が可能となる大きさが望ましい。また大きすぎても携帯性を損ねるので、素通しの開口部の最大幅寸法は、本実施形態では約３０ｍｍとしており、装着性と携帯性を鑑みると２０ｍｍ以上、５０ｍｍ未満で有ることが望ましい。
【００２５】
また、カラビナ３の揺動体３ｂは、図１（ｂ）に示すように三脚座１２側に必ず配置する必要はなく、デジタルカメラ１の上面部や側面部に配置してもよい。
【００２６】
また、本実施形態のデジタルカメラ１のボディー筐体は、ゴムのような弾性を有するエラストマ部材で覆われている。レンズ部２と着せ替えパネル４と操作部材であるレリーズ釦６やモード切替ダイヤル７、リセット釦１１、窓部材であるＬＥＤ窓１０、ねじ１３以外はこのエラストマ部材で覆われている。これにより、緩衝部材として落下時の撮像部や内部電子部品への衝撃を和らげる。また、エラストマ部材としてのゴム弾性やグリップ性により、片手で把持したデジタルカメラ１を意図せず手から滑らせることで落下させてしまうことを効果的に防止することができる。
【００２７】
ここからは、図３（ａ）と図３（ｂ）を用いて着せ替えパネル４について説明をする。図３（ａ）は、デジタルカメラ本体１から着せ替えパネル４を取り外した状態を示す斜視図である。図３（ｂ）は、デジタルカメラ本体に着せ替えパネルを装着した状態のＢ−Ｂ部の部分断面図である。
【００２８】
図３（ａ）に示すように、着せ替えパネル４は、薄いポリカーボネートのシート材料に印刷や、デザインされた表面形状などを施した外観部４ａと、後述する磁石１４に吸着する鉄板４ｂ、そして双方を固定する両面テープ４ｃによって構成されている。
【００２９】
着せ替えパネル４については、メーカーなどにより様々な外観部４ａを有する複数種類の着せ替えパネル４が提供されることを想定している。したがって、ユーザは所有するデジタルカメラ１に対して複数枚の着せ替えパネル４を所有しておけば、シチュエーションに応じて着せ替えパネル４を交換し、デジタルカメラ１の外観を変更するといった使い方が可能となる。そのため、着せ替えパネル４はユーザが容易に交換できるようにしておくのが望ましい。
【００３０】
本実施形態では、着せ替えパネル４の装着は、前部カバー部１ａのレンズ部２の周囲の凸形状１ａａと、着せ替えパネル４の外形部が嵌る立ち壁部１ａｂによって位置決めされ、前部カバー１ａに固定された３つの磁石１４で保持される。
【００３１】
なお、上述した実施形態では磁石１４を用いて、着せ替えパネル４を固定しているが、水中での撮影を考慮しなければ、磁石１４の代わりに不図示の前カバー部１１ｂに強粘着性、着せ替えパネル４側には弱粘着性を有した両面テープを用いてもよい。
【００３２】
また、着せ替えパネルの取り外しは、図３（ｂ）に示すように、前部カバー１ａのカラビナ３の枠体と、ファインダの枠体を兼ねる立ち壁に設けた、凹形状１ａｃにユーザが指を入れることでおこなう。ユーザは、着せ替えパネル４の突出部４ｄを指で持ち上げることで、容易に着せ替えパネル４を取り外すことが可能となる。本実施形態では、レリーズ釦６側でなくカラビナ部３側に凹形状１ａｃを設けることにより、ユーザはカラビナ部３の空洞３ｄのスペースに指を入れながら凹形状１ａｃに指先を掛けることが可能となる。結果、より容易に着せ替えパネル４を取り外すことが可能となる。
【００３３】
第１の実施形態によれば、カラビナ部を有する撮像機器において、撮影時の誤操作を効果的に防止し得る撮像機器を提供することが可能となる。また、着せ替えパネルをユーザが容易に交換することも可能になる。
【００３４】
＜第２の実施形態＞
以下、図４を参照して、第２の実施形態を説明する。後述する内容以外は、第１の実施形態と同様の構成であるため説明を省略する。
【００３５】
図４に示すように、本実施形態のデジタルカメラ１は、第１の実施形態におけるカラビナ部３の形状の一部を楕円形状にしたカラビナ部２０を有する。図４（ａ）は、カラビナ部２０の閉状態を示す図であり、図４（ｂ）は、カラビナ３部の開状態を示す図である。
【００３６】
第２の実施形態のカラビナ部３は、図４（ａ）に示すように、モード切り替えダイヤル７側は、第１の実施形態と同じ直線を直交させた、矩形を半分にした形状となっており、反対側のデジタルカメラ１の側面側は楕円形状となっている。
【００３７】
図４（ｂ）において、カラビナ２０の揺動体２０ｆは、第１の実施形態と同じく回動軸２０ｃを中心に所定の角度まで回動することで、開状態となる。
【００３８】
図５（ａ）は、デジタルカメラを縦にした状態で、取り付けフック１５にカラビナ２０を係止させた状態を示す斜視図である。図５（ｂ）は、図５（ａ）の正面図である。
【００３９】
壁に固定した取り付けフック１５にデジタルカメラ１のカラビナ２０を係止させた状態において、取り付けフック１５とカラビナ２０の固定部２０ｅの係止位置は、図５（ｂ）に示すように楕円形状の頂点Ｐになる。この状態で、デジタルカメラ１の重心Ｗが、楕円形状の頂点Ｐとレンズ部２の撮影光軸Ｚを結ぶ直線の延長線上であれば、図５（ｂ）に示すような傾きや回転のないデジタルカメラ１の位置出しが可能となる。これにより、取り付けフック１５に係止させるだけで特別な位置出しも不要で、簡単に水平に近い画像が撮影可能となる。
【００４０】
また、モード切り替えダイヤル７側が矩形形状となっているのは、この矩形形状で手持ち撮影時の構図の水平垂直を出すガイドとするためである。
【００４１】
上述した実施形態の楕円形状は、半円形状もしくは円弧形状の一部、三角形の角のような形状、すなわち頂点Ｐが１か所となるような形状であれば同様の効果を得ることが可能となる。
【００４２】
＜他の実施形態＞
上記の実施形態はいわゆるカラビナを例に説明したが、少なくとも一辺が開閉可能な構造を有する枠構造であれば、種々の構成を採用することが可能である。
【００４３】
また、上記の実施形態はデジタルカメラを例に説明したが、例えば撮像素子を備えたビデオカメラやスマートフォン等の電子機器に用いてもよい。
【００４４】
以上、本発明の好ましい実施形態について説明したが、本発明はこれらの実施形態に限定されず、その要旨の範囲内で種々の変形及び変更が可能である。
【図１】
2019219485.tif 000003
【図２】
2019219485.tif 000004
【図３】
2019219485.tif 000005
【図４】
2019219485.tif 000006
【図５】
2019219485.tif 000007
【図６】
2019219485.tif 000008
【図７】
2019219485.tif 000009